(57)【要約】【課題】折板屋根の種類にかかわらず歩行可能な強度を確保することができるとともに、断熱保温効果を向上することができる緑化屋根及び折板屋根の緑化工法を提供する。【解決手段】折板屋根１１の種類によってピッチ幅が異なっても、ピッチ幅に応じて厚さを調子した支持板１３を備えさせる。これにより折板屋根１１のピッチ幅に応じた緑化屋根１０上の歩行可能強度を確保することができる。支持板１３を中空溝１３１が形成された中空構造板とする。これにより、支持板１３による断熱効果及び保温効果を奏することができる。【選択図】  図１
2007239216.tif 000002
【特許請求の範囲】
【請求項１】
山形部が連続する折板屋根と、この折板屋根の山頂部に設けられた取付具と、この取付具により前記折板屋根に取り付けられた支持板及び植栽可能な緑化基盤とを有する緑化屋根であって、
前記支持板は、中空構造板により構成されたことを特徴とする緑化屋根。
【請求項２】
前記支持板は、複数の中空溝を有することを特徴とする請求項１に記載の緑化屋根。
【請求項３】
前記中空溝は、複数の段状に形成されていることを特徴とする請求項２に記載の緑化屋根。
【請求項４】
前記支持板は、前記折板屋根の山形部のピッチ幅に応じて歩行可能な強度となるような厚さであることを特徴とする請求項１乃至３いずれか１項に記載の緑化屋根。
【請求項５】
前記支持板は、複数枚から構成されることを特徴とする請求項１乃至４いずれか１項に記載の緑化屋根。
【請求項６】
山形部が連続する折板屋根の山頂部に取付具を固定する工程と、
前記取付具により中空構造板からなる支持板及び植栽可能な緑化基盤とを前記折板屋根に取り付ける工程とを有する緑化屋根の施工方法。
【請求項７】
前記支持板は、前記折板屋根の山形部のピッチ幅に応じて歩行可能な強度となるような厚さに構成することを特徴とする請求項６に記載の緑化屋根の施工方法。
【発明の詳細な説明】
【技術分野】
【０００１】
本発明は、連結された折板屋根を緑化する緑化屋根及び緑化屋根の施工方法に関する。
【背景技術】
【０００２】
ヒートアイランド現象の緩和と、良好な自然的環境を創出する手法の一つとして、建物の屋根上に植物を栽植する屋上緑化が知られている。このような屋上緑化を行う技術として、例えば特許文献１に記載されたものがある。この特許文献１に記載された緑化屋根では、折板屋根の連続して形成された山形部の頂部に支持具を設けて、この支持具により溝板を並設して折板屋根上に固定する。そして、並設された溝板上に植栽マット材を敷設して、植物を成長させる。
【特許文献１】特開２００３−１８４２３８号公報
【発明の開示】
【発明が解決しようとする課題】
【０００３】
折板屋根に緑化の施工をしたり、メンテナンスをする場合には、緑化屋根上を歩行できることが望ましい。
しかしながら、上述した特許文献１に記載された緑化屋根では、溝板が薄く歩行可能な強度を保つことができない場合があった。特に、折板屋根のピッチが大きい場合には、薄い溝板では歩行可能な強度を保つことが難しかった。
【０００４】
また、緑化屋根により建物自体の夏における断熱効果および冬における保温効果を得ることができるが、上述した特許文献１に記載の緑化屋根では、十分な断熱・保温効果が得られない場合があった。
【０００５】
本発明は、上記実情に鑑みてなされたもので、折板屋根の種類にかかわらず歩行可能な強度を確保することができるとともに、断熱保温効果を向上することができる緑化屋根及び折板屋根の緑化工法を提供することを目的とする。
【課題を解決するための手段】
【０００６】
上記目的を達成するため、本発明の緑化屋根は、
山形部が連続する折板屋根と、この折板屋根の山頂部に設けられた取付具と、この取付具により前記折板屋根に取り付けられた支持板及び植栽可能な緑化基盤とを有する緑化屋根であって、
前記支持板は、中空構造板により構成されたことを特徴とする。
【０００７】
また、前記支持板は、複数の中空溝を有することを特徴とする。
【０００８】
また、前記中空溝は、複数の段状に形成されるようにしてもよい。
【０００９】
また、前記支持板は、前記折板屋根の山形部のピッチ幅に応じて歩行可能な強度となるような厚さであるようにしてもよい。
【００１０】
また、前記支持板は、複数枚から構成されるようにしてもよい。
【００１１】
また、本発明の緑化屋根の施工方法は、
山形部が連続する折板屋根の山頂部に取付具を固定する工程と、
前記取付具により中空構造板からなる支持板及び植栽可能な緑化基盤とを前記折板屋根に取り付ける工程とを有することを特徴とする。
【００１２】
また、前記支持板は、前記折板屋根の山形部のピッチ幅に応じて歩行可能な強度となるような厚さに構成するようにしてもよい。
【発明の効果】
【００１３】
本発明によれば、折板屋根の種類にかかわらず歩行可能な強度を確保することができるとともに、断熱保温効果を向上することができる緑化屋根及び折板屋根の緑化工法を提供することができる。
【発明を実施するための最良の形態】
【００１４】
本発明の実施の形態に係る緑化屋根について、以下図面を参照して説明する。緑化屋根１０は、図１に示すように、折板屋根１１と、取付具１２と、支持板１３と、保水シート１４と、植栽が可能な緑化基盤１５と、金網１６とを備えている。緑化屋根１０では、複数の取付具１２により、折板屋根１１上に複数枚の支持板１３，保水シート１４，緑化基盤１５及び金網１６が取り付けられる。
【００１５】
折板屋根１１は、図１及び図２に示すように、複数の折板屋根材１１Ａ，１１Ｂ…が連結されて構成されている。折板屋根材１１Ａ，１１Ｂ…は、谷部１１１Ａ，１１１Ｂ…と、斜面部１１２Ａ，１１２Ｂ…と、山頂部１１３Ａ，１１３Ｂ…とを備えている。山頂部１１３Ａ，１１３Ｂ…と斜面部１１２Ａ，１１２Ｂ…により、それぞれ山形部が形成される。山頂部１１３Ａ，１１３Ｂ…には、図２に示すように、折板屋根材１１Ａ，１１Ｂ…を連結するためのハゼ部１１４Ａ，１１４Ｂ…が形成されている。なお、ハゼ部１１４Ａ，１１４Ｂ…は、折板屋根材１１Ａ，１１Ｂ…の長手方向に沿って形成されている。ハゼ部１１４Ａ，１１４Ｂ…を、図２に示すように、それぞれ接合してハゼ締めすることにより、折板屋根１１Ａ，１１Ｂ…は連結され、折板屋根１１が構成される。
【００１６】
取付具１２は、折板屋根１１上に支持板１３、保水シート１４，緑化基盤１５及び金網１６を固定して取り付けるための部材である。取付具１２には、例えば金属部材が用いられる。
【００１７】
取付具１２は、図３に示すように、固定用基台１２ａと、固定用ボルト１２ｂと、一対の挟持板１２ｃ，１２ｄと、固着ボルト１２ｅと、締め付けボルト１２ｆと、ナット１２ｇとから構成される。取付具１２は、折板屋根材１１Ａ，１１Ｂ…の山頂部１１３Ａ，１１３Ｂ…上に設けられる。
【００１８】
固定用基台１２ａ及び固定用ボルト１２ｂは、主に、折板屋根１１に取付具１２を固定するために用いられる。固定用基台１２ａは、コの字状に形成されている。固定用基台１２ａの一方の側面の下方には舌片部１２１ａが形成されている。固定用基台１２ａの他方の側面に、固定用ボルト１２ｂが取り付けられている。固定用基台１２ａは、図１に示すように、折板屋根１１の山頂部１１３Ａ，１１３Ｂ…上に載置される。固定用ボルト１２ｂを締め付けることによって、対向する舌片部１２１ａと固定用ボルト１２ｂの先端部との間に接合されたハゼ部１１４Ａ，１１４Ｂ…を挟持する。これにより、固定用基台１２ａは、折板屋根１１上に固定される。
【００１９】
一対の挟持板１２ｃ，１２ｄ及び固定基台１２ａの上面によって、支持板１３、保水シート１４，緑化基盤１５及び金網１６が挟持される。一対の挟持板１２ｃ，１２ｄは、例えば円盤状に形成された金属部材からなる。一対の挟持板１２ｃ，１２ｄの中央には、中央孔１２１ｃ及び１２１ｄがそれぞれ形成されている。中央孔１２１ｃ及び１２１ｄには、それぞれ固着ボルト１２ｅ及び締め付けボルト１２ｆが挿入される。一対の挟持板１２ｃ，１２ｄの互いに向き合う面には、金属部材に切れ目を入れて立ち上げられた先端が鋭角である複数の突起１２２ｃ，１２２ｄが形成されている。
【００２０】
固着ボルト１２ｅは、固定基台１２ａの上面から突設して固着されている。ナット１２ｇは、比較的長いナットであり、タカナット等が用いられる。ナット１２ｇの一方側には、固着ボルト１２ｅが螺合されるとともに、ナット１２ｇの他方側には締め付けボルト１２ｆが螺合される。
【００２１】
折板屋根１１に固定された固定用基台１２ａの上面と、固着ボルト１２ｅが挿入された一方の挟持板１２ｃの固定用基台１２ａ側の面との間に支持板１３を配置し、ナット１２ｇを固着ボルト１２ｅに締め付ける。これにより、固定用基台１２ａの上面と一方の挟持板１２ｃとの間に、支持板１３が挟持されて固定される。また、一方の挟持板１２ｃの突起１２２ｃが形成された面と、他方の挟持板１２ｄの突起１２２ｄが形成された面との間に、一方の挟持板１２ｃ側から保水シート１４，緑化基盤１５及び金網１６を順次配置して、締め付けボルト１２ｆを他方の挟持板１２ｄの中央孔１２２ｄに挿入するとともに、ナット１２ｇに締め付けて螺合させる。これにより、一方の挟持板１２ｃの突起１２２ｃが形成された面と、この面と対向する他方の挟持板１２ｄの突起１２２ｄが形成された面との間に、保水シート１４，緑化基盤１５及び金網１６が挟持されて固定される。一対の挟持板１２ｃ，１２ｄにそれぞれ形成された突起１２２ｃ，１２２ｄにより、緑化基盤１５等は安定して挟持されることになる。
【００２２】
支持板１３は、保水シート１４，緑化基盤１５及び金網１６を安定して取付具１２に固定させるプレートであるとともに、緑化屋根１０上を歩行可能とする強度を確保するものである。
【００２３】
支持板１３は、例えば樹脂材料からなり、図４に示すように、複数の並設された中空溝１３１を有する中空構造板である。折板屋根１１は、用途等により様々なピッチ幅(働き巾)を有するものが用いられるが、ピッチ幅に応じて、支持板１３の厚さを調整することにより、緑化屋根１０上を歩行可能とする強度を確保する。例えば、折板屋根１１のピッチ幅が大きい場合には、支持板１３の厚さを厚くし、折板屋根１１のピッチ幅が小さい場合には、支持板１３の厚さを薄くすることにより、緑化屋根１０上の歩行可能強度を保つ。また、支持板１３は、図５に示すように、複数枚を積層することにより歩行可能強度を調整するようにしてもよい。
【００２４】
保水シート１４は、吸収した水分を緑化基盤１５に供給するシートである。保水シート１４には、例えば不織布等が用いられる。
【００２５】
緑化基盤１５は、植栽が施される薄型で軽量の基盤である。緑化基盤１５には、例えば杉の間伐材が材料として用いられる。緑化基盤１５には、芝、野菜、果物、花等の植物が植栽される。緑化基盤１５は、切断などの加工性に優れており、設置スペースに応じて自由な形状に加工することができる。
【００２６】
金網１６は、緑化基盤１５を覆うことにより緑化基盤１５を折板屋根１１上に安定して固定させるためのものである。また、さらに飛散防止用ネットにより、金網１６上を覆うようにしてもよい。
【００２７】
なお、支持板１３には、固着ボルト１２ｅを挿入するための挿入孔(図示せず)が形成され、保水シート１４、緑化基盤１５には、ナット１２ｇを挿入するための挿入孔(図示せず)が形成されている。
【００２８】
このように本実施の形態の緑化屋根では、折板屋根１１の種類によってピッチ幅が異なっても、ピッチ幅に応じて厚さを調整して支持板１３を備えさせるようにしたので、折板屋根１１のピッチ幅に応じた緑化屋根１０上の歩行可能強度を確保することができる。よって、緑化屋根１０の施工時、または、メンテナンス時において、緑化屋根１０上を歩行することが可能になる。
【００２９】
また、支持板１３の厚さが調整されても、それに応じて、固定用基台１２ａの上面と、一方の挟持板１２ｃの固定用基台１２ａ側の面との間の距離は、一方の挟持板１２ｃを移動させることにより調整が可能であるので、容易な構造により、緑化屋根１０上の歩行可能強度を確保することができる。
【００３０】
また、本実施の形態の緑化屋根では、支持板１３を中空溝１３１が形成された中空構造板としたので、支持板１３により断熱効果及び保温効果を奏することができ、建物室内の夏の断熱効果、及び、冬の保温効果を向上させて建物室内環境の改善に貢献することができる。また、支持板１３は中空構造板であるので、重量を軽減することもできる。
【００３１】
以上、実施形態を挙げて本発明を説明したが、本発明は上記実施形態に限定されるものではなく、種々変形が可能である。例えば、本実施の形態では、支持板１３は一段の並設された中空溝１３１を備える例について説明したが、支持板１３は、一枚の支持板に二段以上の多段構造の中空溝１３１を備えるようにしてもよい。また、本実施の形態では、支持板１３を図５に示すように２枚積層する例について説明したが、３枚以上の支持板１３を積層するようにしてもよい。
【００３２】
また、本実施の形態では、折板屋根１１をハゼ部１１４Ａ，１１４Ｂ…により連結する例について説明したが、折板屋根材の連結部を締結ボルトで連結した折板屋根にも本発明を適用することができる。この場合には、折板屋根材の締結ボルトを利用してナット等により固定用基台を折板屋根に固定する。
【００３３】
また、本実施の形態では、固定用基台１２ａと、固定用ボルト１２ｂと、一対の挟持板１２ｃ，１２ｄと、固着ボルト１２ｅと、締め付けボルト１２ｆと、ナット１２ｇとから構成される取付具１２を用いる例について説明したが、取付具は、このような構成のものに限られず、折板屋根１１上に支持板１３、緑化基盤１５等を取り付けられる構造のものであればよい。例えば、一対の挟持板１２ｃ，１２ｄは円盤状の構造のものに限らず、棒状の構造のものであってもよいし、挟持板の数も２枚である必要はなく、３枚以上であってもよい。
【図面の簡単な説明】
【００３４】
【図１】本発明の実施形態に係る緑化屋根の概略構成を表す断面図である。
【図２】図１に示した緑化屋根が備えた折板屋根の一部の構成を表す断面図である。
【図３】図１に示した緑化屋根が備えた取付具の斜視図である。
【図４】図１に示した緑化屋根が備えた支持板の斜視図である。
【図５】支持板の別の例の斜視図である。
【符号の説明】
【００３５】
１０      緑化屋根
１１      折板屋根
１１Ａ，１１Ｂ…  折板屋根材
１２      取付具
１２ａ    固定用基台
１２ｃ    一方の挟持板
１２ｄ    他方の挟持板
１３      支持板
１３１    中空溝
１４      保水シート
１５      緑化基盤
１６      金網
【図１】
2007239216.tif 000003
【図２】
2007239216.tif 000004
【図３】
2007239216.tif 000005
【図４】
2007239216.tif 000006
【図５】
2007239216.tif 000007